(57)【要約】【課題】  顧客に対してより有用な情報を迅速に提供することができる情報提供装置等を提供することを目的とする。【解決手段】  商品に関する商品情報を掲載する広告印刷物の画像データを取得する画像データ取得手段と、前記広告印刷物の画像データに基づいて広告印刷物画像を提示すると共に、該広告印刷物における少なくとも一以上の商品情報の選択を受け付ける手段と、前記選択された商品情報に対応する商品関連情報を提供する商品関連情報提供手段とを有することを特徴とする。【選択図】  図１
2005182577.tif 000002
【特許請求の範囲】
【請求項１】
商品に関する商品情報を掲載する広告印刷物の画像データを取得する画像データ取得手段と、
前記広告印刷物の画像データに基づいて広告印刷物画像を提示すると共に、該広告印刷物における少なくとも一以上の商品情報の選択を受け付ける手段と、
前記選択された商品情報に対応する商品関連情報を提供する商品関連情報提供手段と
を有することを特徴とする情報提供装置。
【請求項２】
請求項１に記載の情報提供装置において、
前記広告印刷物はチラシであって、
前記画像データ取得手段は、前記チラシの内容が有効な期間を示す期間情報と、前記チラシの配布元を示す店舗情報とに基づいて一のチラシの画像データを取得することを特徴とする情報提供装置。
【請求項３】
請求項１又は請求項２に記載の情報提供装置において、
前記商品情報は、少なくとも前記商品を示す商品名を含むことを特徴とする情報提供装置。
【請求項４】
請求項１乃至請求項３のいずれか一項に記載の情報提供装置において、
前記商品関連情報は、前記選択手段によって選択された商品情報が示す商品の在庫情報であることを特徴とする情報提供装置。
【請求項５】
請求項１乃至請求項４のいずれか一項に記載の情報提供装置において、
前記商品関連情報は、前記選択手段によって選択された商品情報が示す商品の陳列場所を示す売り場マップ情報であることを特徴とする情報提供装置。
【請求項６】
請求項１乃至請求項５のいずれか一項に記載の情報提供装置は、ショッピングカートに備えられることを特徴とする情報提供装置。
【請求項７】
商品に関する商品情報を掲載する広告印刷物の画像データを取得する画像データ取得工程と、
前記広告印刷物の画像データに基づいて広告印刷物画像を提示すると共に、該広告印刷物における少なくとも一以上の商品情報の選択を受け付ける工程と、
前記選択された商品情報に対応する商品関連情報を提供する商品関連情報提供工程と
を有することを特徴とする情報提供方法。
【請求項８】
コンピュータを、商品に関する商品情報を掲載する広告印刷物の画像データを取得する画像データ取得手段、
前記広告印刷物の画像データに基づいて広告印刷物画像を提示すると共に、該広告印刷物における少なくとも一以上の商品情報の選択を受け付ける手段および、
前記選択された商品情報に対応する商品関連情報を提供する商品関連情報提供手段として機能させることを特徴とする情報提供プログラム。
【発明の詳細な説明】
【技術分野】
【０００１】
本発明は、顧客に対して商品に関する商品関連情報等の提供を行う情報提供装置及び情報提供方法及び情報提供プログラムに関する。
【背景技術】
【０００２】
従来、例えば顧客がスーパーマーケット等において買い物をする際、顧客は予めそのスーパーマーケットのチラシを自宅で見て、目当ての商品を購入するために来店する場合がある。
【０００３】
そしてこの場合、買い物をするものは、チラシに掲載されていた目当ての商品を思い出しながら、店内を確認しながら探す必要がある。
【０００４】
また、特許文献１には、ＰＯＳデータを利用した売上結果をチラシレイアウトに合わせて表示するシステムが開示されている。
【特許文献１】特開２０００−２９８７５号公報
【発明の開示】
【発明が解決しようとする課題】
【０００５】
しかし、チラシに掲載されていた商品と類似する商品が多数ある場合、どれが目当ての商品であったかわからなくなり、必要なものが購入できないなど効率的に買い物が出来ない場合があるという問題点があった。
【０００６】
また、チラシに掲載されていた目当ての商品が店内の何処に陳列されているか、店内に設置された案内板や案内図にて探して歩く必要があった。
【０００７】
さらに、チラシに掲載されていた目当ての商品が既に売り切れている場合であっても、その商品が陳列されている棚まで行かないと、売り切れていることを確認できず、効率的に買い物を出来ないという問題があった。
【０００８】
そこで、本発明は上記課題に鑑みてなされたものであり、顧客に有効な情報を迅速に提供することが可能な情報提供装置等を提供することを目的とする。
【課題を解決するための手段】
【０００９】
上記課題を解決するための本発明の一つの観点では、情報提供装置において、商品に関する商品情報を掲載する広告印刷物の画像データを取得する画像データ取得手段と、前記広告印刷物の画像データに基づいて広告印刷物画像を提示すると共に、該広告印刷物における少なくとも一以上の商品情報の選択を受け付ける手段と、前記選択された商品情報に対応する商品関連情報を提供する商品関連情報提供手段とを有することを特徴とする。
【００１０】
これによれば、顧客は広告印刷物としてのチラシ紙面上に掲載された商品に関する商品関連情報を容易に確認することができるため、例えば、チラシの特売情報を見て店舗に訪れた場合など、目当ての商品の商品関連情報をチラシの画像に基づいて確認することができるため、顧客はより有効な情報を迅速に入手して効率的な買い物を行うことが可能になる。
【００１１】
上記課題を解決するための本発明の他の観点では、上記情報提供装置において、前記広告印刷物はチラシであって、前記画像データ取得手段は、前記チラシの内容が有効な期間を示す期間情報と、前記チラシの配布元を示す店舗情報とに基づいて一のチラシの画像データを取得することを特徴とする。
【００１２】
これによれば、常に有用なチラシ画像を顧客に提供することが可能になる。また、店舗とチラシの有効日付を顧客が自由に選ぶよう構成することが可能になり、未来のチラシ画像等のセール情報や店舗情報を自由に確認することができる。
【００１３】
上記課題を解決するための本発明の他の観点では、上記情報提供装置において、前記商品情報は少なくとも前記商品を示す商品名を含むことを特徴とする。
【００１４】
これによれば、顧客は、商品関連情報の表示を所望する商品の商品名を、チラシ画像にて確認／選択することが可能になるため、顧客にとってよりわかりやすい選択操作を提供することができる。
【００１５】
上記課題を解決するための本発明の他の観点では、上記情報提供装置において、前記商品関連情報は、前記選択手段によって選択された商品情報が示す商品の在庫情報であることを特徴とする。
【００１６】
これによれば、目当ての商品の在庫情報をチラシの画像に基づいて確認することができるため、顧客はより有効な情報を迅速に入手して効率的な買い物を行うことが可能になる。
【００１７】
上記課題を解決するための本発明の他の観点では、上記情報提供装置において、前記商品関連情報は、前記選択手段によって選択された商品情報が示す商品の陳列場所を示す売り場マップ情報であることを特徴とする。
【００１８】
これによれば、顧客は、目当ての商品の陳列場所をチラシの画像上から確認することが可能になるため、当該陳列場所の位置を、商品関連情報として取得した売り場マップ情報Ｍａｐにて迅速に把握することが可能になる。
【００１９】
上記課題を解決するための本発明の他の観点では、上記情報提供装置において、ショッピングカートに備えられることを特徴とする。
【００２０】
これによれば、情報提供装置を搭載したショッピングカートの使用者である顧客が、広告印刷物としてのチラシ紙面上に掲載された商品に関する商品関連情報を容易に確認することができるため、例えば、チラシの特売情報を見て店舗に訪れた場合など、目当ての商品の商品関連情報をチラシの画像に基づいて確認することができるため、顧客はより有効な情報を迅速に入手して効率的な買い物を行うことが可能になる。
【００２１】
上記課題を解決するための本発明の一つの観点では、情報提供方法において、商品に関する商品情報を掲載する広告印刷物の画像データを取得する画像データ取得工程と、前記広告印刷物の画像データに基づいて広告印刷物画像を提示すると共に、該広告印刷物における少なくとも一以上の商品情報の選択を受け付ける工程と、前記選択された商品情報に対応する商品関連情報を提供する商品関連情報提供工程とを有することを特徴とする。
【００２２】
これによれば、顧客が、広告印刷物としてのチラシ紙面上に掲載された商品に関する商品関連情報を容易に確認することができるため、例えば、チラシの特売情報を見て店舗に訪れた場合など、目当ての商品の商品関連情報をチラシの画像に基づいて確認することができるため、顧客はより有効な情報を迅速に入手して効率的な買い物を行うことが可能になる。
【００２３】
上記課題を解決するための本発明の一つの観点では、コンピュータを、商品に関する商品情報を掲載する広告印刷物の画像データを取得する画像データ取得手段、前記広告印刷物の画像データに基づいて広告印刷物画像を提示すると共に、該広告印刷物における少なくとも一以上の商品情報の選択を受け付ける手段および前記選択された商品情報に対応する商品関連情報を提供する商品関連情報提供手段として機能させることを特徴とする。
【００２４】
これによれば、顧客が、広告印刷物としてのチラシ紙面上に掲載された商品に関する商品関連情報を容易に確認することができるため、例えば、チラシの特売情報を見て店舗に訪れた場合など、目当ての商品の商品関連情報をチラシの画像に基づいて確認することができるため、顧客はより有効な情報を迅速に入手して効率的な買い物を行うことが可能になる。
【発明の効果】
【００２５】
本発明によれば、顧客は広告印刷物としてのチラシ紙面上に掲載された商品に関する商品関連情報を容易に確認することができるため、例えば、チラシの特売情報を見て店舗に訪れた場合など、目当ての商品の商品関連情報をチラシの画像に基づいて確認することができるため、顧客はより有効な情報を迅速に入手して効率的な買い物を行うことが可能になる。
【発明を実施するための最良の形態】
【００２６】
以下、本発明の好適な実施の形態を添付図面に基づいて説明する。
【００２７】
まず、図１乃至図４を参照して本実施形態にかかる情報提供装置の構成及び機能を説明する。なお、以下に説明する実施形態は、本願の情報提供装置を食料品店やホームセンター等において商品を購入する際に使用するいわゆるショッピングカートに搭載された情報提供装置に対して適用した場合の実施の形態である。
【００２８】
図１は、本実施形態にかかる情報提供装置の概要構成例を示すブロック図である。
【００２９】
図１に示すように、ショッピングカートに搭載された情報提供装置１は、データ記憶部１１、操作部１２、表示部１３および制御部１４を含んで構成されており、各構成要素は互いにバス１５によって接続されている。
【００３０】
データ記憶部１１は、チラシデータファイル１１Ａと商品関連情報ファイル１１Ｂとを記憶するためのものである。
【００３１】
チラシデータファイル１１Ａは、図２に示す如く、店舗期間テーブルと、チラシ画像テーブルとからなり、店舗期間テーブルは、チラシの配布元である店舗と、チラシの内容が有効な期間を示す期間情報としてのチラシが対象とするセール期間等のチラシ掲載内容の有効期間と、対応するチラシを示すチラシ番号とを対応付けて記憶する。図２に示す例によれば、秋葉原店では、２００３年９月１日から２００３年の９月８日まで、チラシ番号１のチラシが対象となる。
【００３２】
また、チラシ画像テーブルは、チラシ番号と、該チラシ番号に対応するチラシの画像データＩＭＧｎと、そのレイアウトデータＬｙｔｎとを対応付けて記憶する。例えば、チラシ番号１に対応するチラシの画像データとレイアウトデータは、それぞれ画像データＩＭＧ１とレイアウトデータＬｙｔ１として記憶されている。
【００３３】
上記チラシの画像データＩＭＧｎに記憶されるデータ内容は、図３（Ａ）に示す如く、チラシに掲載される全ての商品の商品情報で構成されている。この商品情報は、写真やイラストなどの商品画像や、商品名称情報や価格情報、その他製造元情報等の各種情報で構成されている。なお、商品名称情報や価格情報等の各情報は、実際に配布されたチラシ紙面上に掲載されている文字の書体や色などの情報を含んでいることが好ましい。
【００３４】
また、レイアウトデータＬｙｔｎとは、図３（Ｂ）に示す如く、上記商品情報が、チラシ紙面上に掲載されるときの配置場所（領域情報）を示すものである。チラシ番号と、様々な種類のレイアウトデータ（Ｌｙｔ１乃至Ｌｙｔ３）の中から一のレイアウトデータＬｙｔとが対応付けて上記チラシデータファイル１１Ａに記憶されている。
【００３５】
従って、チラシの画像データＩＭＧｎは、当該チラシの画像データＩＭＧｎに含まれる商品情報と、当該チラシの画像データＩＭＧｎに対応するレイアウトデータＬｙｔｎとに基づいて構成され、これに基づいて表示部１３に表示される一のチラシの画像を取得することができる。
【００３６】
次に、商品関連情報ファイル１１Ｂに記憶された商品関連情報について説明する。商品関連情報は、チラシ番号に対応するチラシ毎に商品関連情報ファイル１１Ｂ内に記憶されており、図４（Ａ）及び図４（Ｂ）はチラシ番号１に対応する商品関連情報についての説明図である。
【００３７】
以下、図４（Ａ）及び図４（Ｂ）に基づいてチラシ番号１に対応する商品関連情報に基づいて説明する。商品関連情報ファイル１１Ｂには、チラシに掲載されている夫々の商品について、各商品情報がチラシ紙面上に掲載されるときの配置場所（領域情報）を示す領域情報Ｒｍと、上記商品に関連する商品関連情報が識別可能に格納されている。
【００３８】
より具体的には、領域情報Ｒｍと、チラシの商品を識別するための商品識別情報Ｃと、商品関連情報としての商品に関する具体的な情報（例えば、品名に関する情報、生産地に関する情報、賞味期限に関する情報、特記事項等）や、商品が陳列されている店内の位置を示す地図（売り場マップ情報Ｍａｐｍ）とが対応付けられて記憶されている。
【００３９】
操作部１２は、例えばタッチパネルによって構成された表示部１３上において、上記ショッピングカートを使用する使用者（顧客）が操作を行なうためのものである。この操作部１２にて操作が行われると、該操作に対応する操作情報を生成して制御部１４へ出力する。
【００４０】
この操作情報は、チラシの画像データＩＭＧｎを要求する情報や、チラシに掲載されている商品に関連する商品関連情報を要求する指示情報等であって、例えば、制御部１４と共に、チラシに掲載された商品の商品情報の選択を受け付ける手段として機能し、表示部１３上に表示されたチラシに掲載された商品の商品情報のうち、何れかの商品情報が選択されると、選択された商品情報に対応する商品関連情報を上記関連情報ファイル１１Ｂより取得して表示部１３上に表示する。
【００４１】
図４（Ａ）および図４（Ｂ）に示す例によれば、チラシ番号１に対応するチラシ画像上において、操作部１２によって、「ソース」が選択されると、レイアウトデータＬｙｔ１を参照して領域情報Ｒ５が抽出される。そして、この領域情報Ｒ５に対応する商品識別情報Ｃ５に対応する商品関連情報として、通常時価格「＊＊円」、チラシ掲載価格「２００円」、特記事項「本日限り」および商品「ソース」が陳列されている店内の位置を示す売り場マップＭａｐ５が商品関連情報ファイル１１Ｂより選択され、表示部１３に表示される。
【００４２】
表示部１３は、制御部１４と共に商品関連情報提供手段として機能し、操作部１２からの操作情報に基づいて取得したチラシの画像データＩＭＧｎや商品関連情報を表示する。
【００４３】
尚、チラシの裏面の画像データ、レイアウトデータ等もチラシデータファイル１１Ａに記憶しておけばよく、さらに、チラシの裏面に掲載されている夫々の商品について、チラシ紙面上の領域情報Ｒｍと、上記商品に関連する商品関連情報を商品関連情報ファイル１１Ｂに記憶しておけばよい。
【００４４】
制御部１４は、演算機能を有するＣＰＵ（Central ProcessingUnit）、各種プログラム（情報提供プログラムを含む）及びデータを記憶するＲＯＭ（Read Only Memory）、及び作業用メモリとしてのＲＡＭ（Random Access memory）等を含んで構成されており、情報提供装置１における構成要素全体を制御し、また、情報提供装置１を構成する各種構成部に対して所定の指示信号を送受信するためのものである。
【００４５】
具体的には、制御部１４は、画像データ取得手段として機能し、操作部１２によって選択されたチラシの画像データＩＭＧｎを上記データ記憶部１１のチラシデータファイル１１Ａより取得する。
【００４６】
また、制御部１４は、操作部１２および表示部１３と共に、商品情報の選択を受け付ける手段、商品関連情報提供手段として機能し、操作部１２によって表示部１３上に表示されたチラシに掲載された何れかの商品の商品情報が選択されると、該選択された商品情報に対応する商品関連情報を商品関連情報ファイル１１Ｂより取得する。
【００４７】
次に、本実施形態にかかる制御部１４の動作について説明する。
【００４８】
まず、図１乃至図６を参照して、情報提供装置１のチラシ選択動作について説明する。図５は、制御部１４における情報提供処理を示すフローチャートである。図６（Ａ）乃至図６（Ｃ）は、表示部１３の表示例である。
【００４９】
まず、表示を所望するチラシの選択をする（ステップＳ１）。具体的には、日づけと店舗とにより、チラシ選択を行なう。（図６（Ａ）参照。）。
【００５０】
なお、図６（Ａ）に図示した例においては、情報提供装置１に内蔵した日付時計に基づいて、処理される日の日づけが決定される。そして、図６（Ａ）に示す如く、顧客に店舗を選択するよう促し、操作部１３にて選択された店舗と、上記日づけとに基づいて、対応するチラシの画像データＩＭＧをチラシデータファイル１１Ａより取得する（ステップＳ２）。    
【００５１】
そして、取得した画像データＩＭＧに基づいてチラシの画像を表示部１３に表示する（ステップＳ３）（図６（Ｂ）参照。）。
【００５２】
次に、顧客が操作部１２を操作することにより、チラシ画像表示動作の終了操作がされたか否かを判断し（ステップＳ４）、終了操作がされた場合には（ステップＳ４：Ｙｅｓ）、全ての処理を終了し、他方、終了操作がされない場合には（ステップＳ４：Ｎｏ）、ステップＳ５へ移行する。
【００５３】
そして、顧客が操作部１２を操作することにより、表示部１３に表示されたチラシに掲載された商品の中から、商品関連情報の提供を所望する何れかの商品情報が選択されたか否かを判断し（ステップＳ５）、商品情報が選択されない場合には（ステップＳ５：Ｎｏ）、ステップＳ４へ移行し、終了操作（ステップＳ４）若しくは商品情報選択操作（ステップＳ５）のいずれかの操作が行われるまで、チラシの画像を表示部１３に表示し続けることになる。
【００５４】
他方、何れかの商品情報が選択された場合には（ステップＳ５：Ｙｅｓ）、選択された商品情報に対応する商品関連情報を、商品関連情報ファイル１１Ｂより取得する（ステップＳ６）。より具体的には、まず、チラシの画像データＩＭＧに基づいて、チラシデータファイル１１Ａを参照して対応するレイアウトデータＬｙｔを抽出する。
【００５５】
例えば、ステップＳ２でチラシの画像データＩＭＧ１を取得した場合には、対応するレイアウトデータＬｙｔ１を抽出する。そしてこのレイアウトデータＬｙｔ１に基づいて、選択された商品情報の領域情報Ｒｍを決定し、該決定した領域情報Ｒｍに対応する商品関連情報を、商品関連情報ファイル１１Ｂより取得する。
【００５６】
そして、取得した商品関連情報を表示部１３に表示する（ステップＳ７）（図６（Ｃ）参照。）。
【００５７】
次に、顧客が操作部１２を操作することにより、チラシ画像の表示に戻る、チラシ画像表示操作が行われたか否かを判断し（ステップＳ８）、チラシ画像表示操作がされた場合には（ステップＳ８：Ｙｅｓ）、チラシの画像を再度表示する。
【００５８】
他方、チラシ画像表示操作がされない場合には（ステップＳ８：Ｎｏ）、終了操作がされたか否かを判断し（ステップＳ９）、終了操作がされた場合には（ステップＳ９：Ｙｅｓ）、全ての処理を終了する。
【００５９】
また、終了操作がされない場合には（ステップＳ９：Ｎｏ）、チラシ画像表示操作（ステップＳ８）若しくは終了操作（ステップＳ９）のいずれかの操作が行われるまで、商品関連情報を表示部１３に表示し続けることになる。
【００６０】
なお、ステップＳ１において、顧客に店舗を選択するよう促し、操作部１２にて選択された店舗と、処理される日の日付とに基づいて、対応するチラシの画像データＩＭＧをチラシデータファイル１１Ａより取得しているが、これには限られず、店舗を予め設定しておいてもよいし、或いは、顧客が日付を自由に設定することにより、まだ配布されていない未来のチラシ画像等のセール情報や店舗情報を自由に確認することができるように構成してもよい。
【００６１】
また、ステップＳ３において、チラシの表面を表示したが、顧客が操作部１２を操作することにより裏面を表示させるよう動作することも可能である（図６（Ｂ）参照。）。この場合には、表示画面中の「裏を見る」ボタンが操作部１２によって操作されると、制御部１４の制御に基づいてチラシの裏面を表示部１３に表示する。
【００６２】
さらにまた、チラシが複数ページからなる冊子である場合には、表示画面中に「次ページを見る」「前のページを見る」ボタンを設けてこれを顧客が操作部１２を操作して選択することにより、制御部１４の制御に基づいて該当するページを表示部１３に表示するよう構成してもよい。
【００６３】
また、上述した実施形態において、商品関連情報ファイル１１Ｂにおいて、商品を識別する商品識別情報Ｃｍと領域情報Ｒｍと商品関連情報とを対応付ける際、商品毎に商品関連情報を対応付けるだけでなく、複数の商品を含む商品群と商品関連情報とを対応付けてもよい。例えば、図７に示す如く、チラシ番号１に対応するチラシ画像上において、任意の販売促進企画商品群が選択されると、レイアウトデータＬｙｔ１の領域情報Ｒ１００が抽出され、この領域情報Ｒ１００に対応する商品識別情報Ｃ１００に対応する商品関連情報が表示されるようにしても良い。この場合には、販売促進企画商品群に共通する関連情報を商品関連情報として記憶させておけばよい。
【００６４】
上述した実施形態によれば、顧客はチラシ紙面上に掲載された商品に関する商品関連情報を容易に確認することができるため、例えば、チラシの特売情報を見て店舗に訪れた場合など、目当ての商品の商品関連情報をチラシの紙面画像に基づいて確認することができるため、顧客はより有効な情報を迅速に入手して効率的な買い物を行うことが可能になる。
【００６５】
また、顧客は、目当ての商品の陳列場所をチラシの画像上から取得することが可能になるため、店舗内に設置された案内板や案内図などで確認するよりも、当該陳列場所の位置を商品関連情報として取得した売り場マップ情報Ｍａｐにてより迅速に把握することが可能になる。
【００６６】
次に、他の実施形態として、情報提供装置１とサーバ装置２とによる情報提供システムついて図８に基づいて説明する。
【００６７】
この情報提供システムは、店舗内の事務所内や、店舗本部等に設置したサーバ装置２と、情報提供装置１とをインターネットやＬＡＮ（Local Area Network）等の通信網Ｘで情報の送受信可能に接続する。
【００６８】
そして、情報提供装置１は、上述した実施形態と同様、表示部を有し、またサーバ装置２と情報の送受信をするための通信部を備えている。
【００６９】
このサーバ装置２は、データ記憶部２１、データ入力部２２、通信部２３、および制御部２４を含んで構成されており、各構成要素は互いにバス２５によって接続されている。
【００７０】
上記データ記憶部２１内の構成は上述した実施形態におけるデータ記憶部１１と同様であり、チラシデータファイルと商品関連情報ファイルとを備える。
【００７１】
このように構成することにより、チラシデータファイル及び商品関連情報ファイル内の各種データの更新を上記サーバ装置２のデータ入力部２２からデータ入力することにより、サーバ装置２を備えた店舗内の事務所内や、店舗本部等で一括して行い、常に最新の情報を情報提供装置１へ送信することが可能になる。
【００７２】
さらに、上記サーバ装置２を、既に販売した商品数量を把握している店舗内の事務所等に設置すれば、商品関連情報ファイル内の商品関連情報として、商品の店内に在庫として保管又は展示されている在庫情報等を随時更新することが容易になる。
【００７３】
また、情報提供装置１は、各種データや情報を上記通信網Ｘを介してサーバ装置２から取得することにより、情報提供装置１内にデータ記憶部を備える必要が無いので、該情報提供装置１の小型化が実現でき、ショッピングカート等に容易に設置可能になる。
【図面の簡単な説明】
【００７４】
【図１】情報提供装置の概要構成例を示すブロック図である。
【図２】チラシデータファイル１１Ａの説明図である。
【図３（Ａ）】チラシの画像データの説明図である。
【図３（Ｂ）】レイアウトデータの説明図である。
【図４（Ａ）】チラシ番号１に対応する商品関連情報の説明図である。
【図４（Ｂ）】チラシ番号１に対応する商品関連情報の説明図である。
【図５】制御部１４における情報提供処理を示すフローチャートである。
【図６（Ａ）】表示部１３におけるチラシ選択画像の表示例である。
【図６（Ｂ）】表示部１３におけるチラシ画像の表示例である。
【図６（Ｃ）】表示部１３における商品関連情報の表示例である。
【図７】商品群の選択商品関連情報ファイル１１Ｂの説明図である。
【図８】情報提供システムの概要構成例を示すブロック図である。
【符号の説明】
【００７５】
１…情報提供装置
１１…データ記憶部
１１Ａ…チラシデータファイル
１１Ｂ…商品関連情報ファイル
１２…操作部
１３…表示部
１４…制御部
１５…バス
２…サーバ装置
２１…データ記憶部
２２…データ入力部
２３…通信部
２４…制御部
２５…バス
チラシの画像データＩＭＧ
レイアウトデータＬｙｔ
商品識別情報Ｃ
領域情報Ｒｍ
売り場マップ情報Ｍａｐ
【図１】
2005182577.tif 000003
【図２】
2005182577.tif 000004
【図３（Ａ）】
2005182577.tif 000005
【図３（Ｂ）】
2005182577.tif 000006
【図４（Ａ）】
2005182577.tif 000007
【図４（Ｂ）】
2005182577.tif 000008
【図５】
2005182577.tif 000009
【図６（Ａ）】
2005182577.tif 000010
【図６（Ｂ）】
2005182577.tif 000011
【図６（Ｃ）】
2005182577.tif 000012
【図７】
2005182577.tif 000013
【図８】
2005182577.tif 000014